(57)【要約】【課題】      電力モジュールと電力充電モジュールとを有する電力供給可能インターフェイスを提供すること。【解決手段】  電力モジュールは、インターフェイスカードに接続されたホストの電力供給に異常がある場合、ホストに電力を供給する。電力モジュールの容量が不十分である場合、電力充電モジュールを介してホスト電力供給によってリチャージが行われる。【選択図】    図１
2005215868.tif 000002
【特許請求の範囲】
【請求項１】
電力モジュールと、電力充電モジュールとより成り、
ホスト電力供給が正常に機能していない場合、電力モジュールが、ホストに電力を供給し、電力モジュールの容量が低い場合、ホストの電力供給モジュールによって、電力充電モジュールを通じて、電力モジュールがリチャージされることを特徴とする、
ホストに接続され、電力供給可能なインターフェイスカード。
【請求項２】
インターフェイスカードとホストとの接続には、ＩＳＡバスを利用したことを特徴とする、請求項１に記載のインターフェイスカード。
【請求項３】
インターフェイスカードとホストとの接続には、ＰＣＩバスを利用したことを特徴とする、
請求項１に記載のインターフェイスカード。
【請求項４】
更に、電力モジュールと電力充電モジュールに接続された外部電力源の状態を検知し、電力モジュールと外部電力源の状態に異常が見つかった場合、ホストに警告メッセージを送信することを特徴とする、
請求項１に記載のインターフェイスカード。
【請求項５】
ホストに電力を送る、ホスト電力接続モジュールを有することを特徴とする、
請求項１に記載のインターフェイスカード。
【請求項６】
ホストと、請求項１乃至請求項５の何れかに記載したインターフェイスカードとから成り、
インターフェイスカードが、バスを通じてホストに接続され、ホストの電力供給機能に異常がある場合、ホストに電力を供給することを特徴とする、
バックアップ電力を有した、コンピュータシステム。
【請求項７】
インターフェイスカードが、更にホストの電力供給機能に異常がある場合に電源をホストへ供給する電力モジュールを有することを特徴とする、
請求項６に記載のコンピュータシステム。
【請求項８】
インターフェイスカードは、更に電力モジュールの容量が低い場合にホストの電力供給モジュールから電力を受け取る、電力充電モジュールを含むことを特徴とする、
請求項６に記載のコンピュータシステム。
【請求項９】
インターフェイスカードは、更にインターフェイスカードとホストの電力状態を検知し、電力状態に異常が見つかった場合に、警告メッセージをホストに送る、制御モジュールを含むことを特徴とする、
請求項６に記載のコンピュータシステム。
【請求項１０】
インターフェイスカードが、ＩＳＡバスを介してホストに接続されることを特徴とする、
請求項６に記載のコンピュータシステム。
【請求項１１】
インターフェイスカードが、ＰＣＩバスを介してホストに接続されることを特徴とする、
請求項６に記載のコンピュータシステム。
【請求項１２】
電力供給可能なインターフェイスと、インターフェイスカードをプラグインするホストと、ホストとインターフェイスカードに電力を供給する電力供給モジュールとを有するコンピュータシステムに利用される、バックアップ電力供給方法において、
インターフェイスカードの電力が不十分であることが検知された場合、電力供給モジュールからインターフェイスカードへ電力を供給し、
ホスト電力供給に異常が検知された場合、インターフェイスカードからホストへ電力を供給し、コンピュータシステムを制御して自動的にデータと現状を保存し、
全データが保存された後、コンピュータシステムをシャットダウンする、
バックアップ電力供給方法。
【請求項１３】
全データを保存してコンピュータシステムをシャットダウンした後に再起動した場合、コンピュータシステムが保存された状態に戻ることを特徴とする、
請求項１２に記載のバックアップ電力供給方法。
【請求項１４】
インターフェイスカードが正常に機能しているか否かをチェックした後にインターフェイスカードの電力を検知し、電力が不十分な場合、電力供給モジュールからインターフェイスカードへ電力を供給することを特徴とする、
請求項１２に記載のバックアップ電力供給方法。
【請求項１５】
インターフェイスカードの機能に異常が検知された場合、コンピュータシステムに警告メッセージを発送した後にインターフェイスカードの電力を検知し、電力が不十分な場合、電力供給モジュールからインターフェイスカードへ電力を供給することを特徴とする、
請求項１２に記載のバックアップ電力供給方法。
【請求項１６】
インターフェイスカードを検知し、電力が不十分な場合、コンピュータシステムへの警告メッセージの送信と、電力供給モジュールからのインターフェイスカードへの電力供給とを行うことを特徴とする、
請求項１２に記載のバックアップ電力供給方法。
【発明の詳細な説明】
【技術分野】
【０００１】
本発明は、インターフェイスカードに関するものであり、特に電力供給が可能なインターフェイスカードに関するものである。
【発明の開示】
【発明が解決しようとする課題】
【０００２】
コンピュータシステムの不適切なシャットダウンが原因で、電力の中断または異常な電圧供給が起こり、これらがデータまたはシステムの障害につながることがある。このような障害を防止する、簡単なインターフェイスカードが求められている。
【０００３】
このようなインターフェイスカードは、バッテリを含み、コンピュータシステムに直接インストールされる。一旦インターフェイスカードが、ホストに接続されると、電力供給状態が検知可能であり、これによって適切な調整が可能となる。
【０００４】
例えば、コンピュータシステムへの電力供給が正常である場合、電力がコンピュータに供給されて、インターフェイスカード中のバッテリが充電される。ホストの電力供給が遮断された場合、インターフェイスカードが、バッテリに保存された直流電力をただちにコンピュータシステムが要求する電流へと変換することが可能である。したがって、コンピュータが未保存のデータを記憶し、システムをシャットダウンするのに充分な時間を持つこととなる。
【課題を解決するための手段】
【０００５】
以下のような理由から、本発明の目的は、電力供給を可能とするインターフェイスカードとバックアップ電力の供給方法を提供することにある。
【０００６】
インターフェイスカードは、コンピュータシステムホストに接続されると、ホスト電力供給が正常に機能していないと判断した場合、必要な電力を供給することが可である。未保存データを記憶した後に、自動的にシャットダウンすることによって、コンピュータシステムは、システムが次回稼動した時に常態に戻ることが可能である。
【０００７】
ここに開示されたバックアップ電力供給方法は、電力供給を可能とするインターフェイスを含むコンピュータシステム用のものである。
【０００８】
本発明の方法は、インターフェイスカードの異常状態と不十分な電力供給の状態を検知し、コンピュータシステムへ警告メッセージを送り、コンピュータシステムの電力供給モジュールよりインターフェイスカードをリチャージし、電力供給状態に異常を検知した場合にインターフェイスカードの電力を利用して、コンピュータシステムを稼動させ、コンピュータシステムを制御して、データとコンピュータシステムの状態を記憶して、データが記憶された後に、コンピュータシステムをシャットダウンするものである。
【０００９】
ここに開示されたインターフェイスカードは、電力モジュールと電力充電モジュールとを含むものである。電力モジュールは、インターフェイスカードが接続されたホストの電力供給機能に異常を検知した場合に、ホストに電力を供給するものである。電力モジュールの容量が低い場合、ホストの電力供給が、電力充電モジュールを介して、電力モジュールを補充する。
【００１０】
本発明は、以下の詳細な説明より充分に理解することが可能であるが、以下の詳細な説明は、あくまで説明を目的として開示されたものであり、したがって本発明を限定するものではない。
【発明を実施するための最良の形態】
【００１１】
図１は、本発明の好適な実施例を示すものである。コンピュータシステム１は、電力供給が可能なインターフェイスカード２と、インターフェイスカード２がプラグインされるホスト２４と、ハードディスクドライブ（ＨＤＤ）１４と、電力供給モジュール２２とを有するものである。インターフェイスカード２は、電力充電モジュール８と、直流／交流変換モジュール６と、制御モジュール１２と、電力モジュール４と、ＨＤＤ接続モジュール１０と、信号送信モジュール１８と、プラグモジュール１６とを有するものである。
【００１２】
図１を参照すると、インターフェイスカード２は、電力充電モジュール８を介して、ホスト２４の電力供給モジュール２２に接続される。信号送信モジュール１８を利用して、ホスト２４との制御信号を通信する。ホスト電力接続モジュールを通じて、インターフェイスカード２が、バックアップ電力をホスト２４に供給する。ＨＤＤ接続モジュール１０を利用して、ＨＤＤ１４を接続する。制御モジュール１２は、上述のモジュールを制御し、インターフェイスカード２の電力モジュール４の状態とホスト２４の電力供給モジュール２２とをモニタリングする。本システムにおいて、電力供給モジュール２２は、ホスト２４に外部電力を供給する。
【００１３】
制御モジュール１２が、電力モジュール４の容量の不十分な状態を検知した場合、直流電力を、電力供給接続モジュール８を介して、電力モジュール４へと補充する。電力供給モジュール２２の容量が低下していることを検知した場合、インターフェイスカード２の電力モジュール４は、直流／交流変換モジュール６を用いて電力を変換し、ホスト２４の利用のために電力供給モジュール２２へと電力を送る。
【００１４】
信号送信モジュール１８は、制御信号を送信するためにホスト２４に接続される。ホスト２４は、信号送信モジュール１８から、インターフェイスカード２の電力モジュール４とホスト２４の電力供給モジュール２２の状態に関する情報を入手可能である。制御モジュール１２は、信号送信モジュール18を通じて、またインターフェイスカード２中の不十分な電力や、バッテリの異常状態等に関する警告メッセージを送信することが可能である。プラグモジュールは、ＩＳＡバスまたはＰＣＩバス構造を利用可能である。
【００１５】
図１に示した好適な実施例を参照すれば、本発明に係わる方法を以下のように説明することができる。
【００１６】
コンピュータシステム１が、稼動すると、ホスト２４中のバックアップ電力マネジメントプログラムが、制御モジュール１２を介して、自動的にインターフェイスカード２と電力モジュール４の状態をチェックし、インターフェイスカード２と電力モジュール４が正常に機能可能かどうかを判断する。インターフェイスカード２が正常に機能可能である場合、更に電力モジュール４が、３．３Ｖ，１２Ｖ，５Ｖの電力を供給するのに充分な電圧をもっているか否かをチェックする。電力モジュール４の電圧が、充分であると判断されると、制御もジュール１２が、ホスト２４の電力供給モジュール２２に接続された外部電力が正常か否かを継続的にモニタリング開始する。
【００１７】
制御モジュール１２は、インターフェイスカード２が正常に機能できないことを検知すると、信号送信モジュール１８を介して、ホスト２４の作用に影響すること無く、警告メッセージをホスト２４へ送信し、ユーザにその旨を知らせる。もし電力モジュール４の電圧が低くなった場合、対応するメッセージが、制御モジュール１２を介して、ホスト２４へと送られる。
【００１８】
バックアップ電力マネジメントプログラムが、メッセージを受け取ったら、ホスト２４の電力供給モジュール２２を制御して、インターフェイスカード２の電力モジュール４を充電する。
【００１９】
仮に全てが常態であった場合、バックアップ電力マネジメントプログラムが起動して、ホスト２４の電力供給モジュール２２の状態を継続的にモニタリングする。
【００２０】
ホスト２４への電力供給に関して何らかの異変があった場合、バックアップ電力マネジメントプログラムが、インターフェイスカード２の制御モジュール１２にその旨を通知することによって、制御モジュール１２が電力モジュール４を制御して、ホスト２４への電力供給開始が可能となる。またホスト２４へも通知して、データを保存し、システム１の現状を記憶することとなる。データが保存されたら、バックアップ電力マネジメントプログラムは、ホスト２４を制御して、通常方法でシャットダウンをする。電力供給が通常状態に復帰し、システムが再び起動した場合、バックアップ電力マネジメントプログラムは、シャットダウン前にシステム１を常態に戻す。
【００２１】
図２は、図１に示した第一実施例に係わるバックアップ電力の供給に関するフローチャートである。
【００２２】
コンピュータシステム１が起動すると（ステップ１００）、バックアップ電力マネジメントプログラムが、自動的にインターフェイスカード２が、正常に作用可能か否かをチェックする（ステップ１０１）。このチェックには、カードが正しくインストールされているか否かのチェックも含まれている。
【００２３】
インターフェイスカード２の機能に異常が発見された場合、警告メッセージがコンピュータシステム１に送られ、その旨がユーザに通知される（ステップ１０５ａ）。しかしながら、コンピュータシステムは、依然として平常通り機能する（ステップ１０７）。
【００２４】
インターフェイスカード２の状態が正常であった場合、更に電力モジュール４の電圧が平常であるかどうか、例えば、５Ｖ，３．３Ｖ，または１２Ｖの電力を供給可能かをチェックする（ステップ１０２）。
【００２５】
もしコンピュータシステム１が、電力モジュール４にとって、そのような電圧を供給が不可能であると判断した場合、警告メッセージがコンピュータシステム１に送信されて、ユーザにその旨が伝えられ（ステップ１０５ｂ）、インターフェイスカード２中の電力を補充するために、ホスト電力供給モジュール２２にその旨を通知する（ステップ１０６）。
【００２６】
インターフェイスカード２とパワーモジュールの電圧の状態が、正常であった場合、バックアップ電力マネジメントプログラムが、電力供給モジュール２２の電力供給状態を継続的にモニタリングすることとなる（ステップ１０３）。
【００２７】
一旦、電力供給切断等の電力供給異常が検知されると、バックアップ電力マネジメントプログラムは、ユーザに警告メッセージを送信し、自動的にコンピュータシステム１を制御して、データとコンピュータシステム１の現状を保存する（ステップ１０４）。全データが保存されると、シャットダウンメッセージが、コンピュータシステム１に送られ、電源がオフとなる（ステップ１０８）。
【００２８】
本発明に関して、幾つかの変形を行うことは、当業者にとって自明なものであり、それらの変形は、本発明の請求の範囲の精神と範囲内にあるものと考えられるべきである。
【図面の簡単な説明】
【００２９】
【図１】バックアップ電力及びその構成部品を示した本発明のコンピュータシステムの好適な実施例を示す図。
【図２】図１にあるバックアップ電力供給方法を説明するフローチャート。
【図１】
2005215868.tif 000003
【図２】
2005215868.tif 000004